(57)【要約】【課題】外部機器をネットワークへ接続させるための中継を行う際に、利用者の操作を簡略化できる携帯通信装置及び通信制御方法を提供すること。【解決手段】スマートフォン１は、ＬＴＥで無線通信するＬＴＥ通信部６１と、ＷｉＦｉで無線通信するＷｉＦｉ通信部６２と、ＬＴＥ通信部６１及びＷｉＦｉ通信部６２を制御するコントローラ１０と、を備え、コントローラ１０は、ＷｉＦｉ通信部６２による通信が停止されているときに充電が開始されると、ＷｉＦｉ通信部を介して接続した外部機器２００を、ＬＴＥ通信部６１を介してＬＴＥネットワークに接続させる第１のモードでＷｉＦｉ通信部６２による通信を許可する。【選択図】図５
2014082598.tif 000002
【特許請求の範囲】
【請求項１】
第１のプロトコルで無線通信する第１の通信部と、
第２のプロトコルで無線通信する第２の通信部と、
前記第１の通信部及び前記第２の通信部を制御する制御部と、を備え、
前記制御部は、前記第２の通信部による通信が停止されているときに充電が開始されると、前記第２の通信部を介して接続した外部機器を前記第１の通信部を介して第１のネットワークに接続させる第１のモードで前記第２の通信部による通信を許可する携帯通信装置。
【請求項２】
前記制御部は、前記充電が開始されてから所定時間、外部機器との接続を確立しなかった場合、前記第２の通信部による通信を停止させる請求項１に記載の携帯通信装置。
【請求項３】
外部機器の識別情報を記憶する第１の記憶部を備え、
前記制御部は、前記充電が開始された際に、前記第２の通信部に前記識別情報を有する外部機器を探索させ、当該外部機器があると、前記第１のモードで前記第２の通信部による通信を許可する請求項１又は請求項２に記載の携帯通信装置。
【請求項４】
自装置の位置を測位して位置情報を得る測位部と、
前記第２の通信部が過去に外部機器に接続した際の位置情報を記憶する第２の記憶部と、を備え、
前記制御部は、前記充電が開始されると前記測位部に位置を測位させ、測位された位置情報と前記第２の記憶部に記憶されている位置情報とが近い場合、前記第１のモードで前記第２の通信部による通信を許可する請求項１から請求項３のいずれか１項に記載の携帯通信装置。
【請求項５】
前記第２の通信部は、前記第１のモードと、自装置を第２のネットワークに接続する第２のモードと、を有する請求項１から請求項４のいずれか１項に記載の携帯通信装置。
【請求項６】
前記制御部は、前記第２の通信部が前記第２のネットワークに接続できない場合、前記第１のモードでの前記第２の通信部による通信を許可し、前記第２の通信部が前記第２のネットワークに接続できる場合、前記第１のモードでの前記第２の通信部による通信を許可しない請求項５に記載の携帯通信装置。
【請求項７】
表示部を備え、
前記制御部は、前記充電が開始されると、前記第１のモードに移行する指示入力を受け付けるための表示を行い、当該指示入力を受け付けた場合に、前記第１のモードで前記第２の通信部による通信を許可する請求項１から請求項６のいずれか１項に記載の携帯通信装置。
【請求項８】
前記制御部は、前記充電が行われている間、前記第１のモードで前記第２の通信部による通信を所定周期で許可する請求項１から請求項７のいずれか１項に記載の携帯通信装置。
【請求項９】
自装置の充電方法を判定する判定部を備え、
前記制御部は、前記判定部による判定結果に応じて、前記第１のモードで前記第２の通信部による通信を許可するか否かを変更する請求項１から請求項８のいずれか１項に記載の携帯通信装置。
【請求項１０】
前記第２のプロトコルは、ＩＥＥＥ８０２．１１に準拠している請求項１から請求項９のいずれか１項に記載の携帯通信装置。
【請求項１１】
第１のプロトコルで無線通信する第１の通信部と、第２のプロトコルで無線通信する第２の通信部と、を有する携帯通信装置の通信制御方法であって、
前記携帯通信装置は、前記第２の通信部による通信が停止されているときに充電が開始されると、前記第２の通信部を介して接続した外部機器を前記第１の通信部を介して第１のネットワークに接続させる第１のモードで前記第２の通信部による通信を許可する通信制御方法。
【発明の詳細な説明】
【技術分野】
【０００１】
本発明は、複数の通信部を有する携帯通信装置及びその通信制御方法に関する。
【背景技術】
【０００２】
携帯通信装置は、複数の無線通信プロトコルに対応し、それぞれのネットワークに接続可能である。
一方の無線通信プロトコル（例えば、ＷｉＦｉ）により外部機器に接続し、他方の無線通信プロトコル（例えば、ＣＤＭＡ、ＬＴＥ等）により、この外部機器を所定のネットワーク（例えば、インターネット）へ接続させる、いわゆるテザリングと呼ばれる中継機能が提供されている（例えば、特許文献１参照）。
【先行技術文献】
【特許文献】
【０００３】
【特許文献１】特表２０１１−５３０８９８号公報
【発明の概要】
【発明が解決しようとする課題】
【０００４】
しかしながら、このような中継機能を利用する度に、利用者は、携帯通信装置に対して所定の操作を行い、外部機器との無線通信を確立させる必要があった。
【０００５】
本発明は、外部機器をネットワークへ接続させるための中継を行う際に、利用者の操作を簡略化できる携帯通信装置及び通信制御方法を提供することを目的とする。
【課題を解決するための手段】
【０００６】
本発明に係る携帯通信装置は、第１のプロトコルで無線通信する第１の通信部と、第２のプロトコルで無線通信する第２の通信部と、前記第１の通信部及び前記第２の通信部を制御する制御部と、を備え、前記制御部は、前記第２の通信部による通信が停止されているときに充電が開始されると、前記第２の通信部を介して接続した外部機器を前記第１の通信部を介して第１のネットワークに接続させる第１のモードで前記第２の通信部による通信を許可する。
【０００７】
前記制御部は、前記充電が開始されてから所定時間、外部機器との接続を確立しなかった場合、前記第２の通信部による通信を停止させてもよい。
【０００８】
本発明に係る携帯通信装置は、外部機器の識別情報を記憶する第１の記憶部を備え、前記制御部は、前記充電が開始された際に、前記第２の通信部に前記識別情報を有する外部機器を探索させ、当該外部機器があると、前記第１のモードで前記第２の通信部による通信を許可してもよい。
【０００９】
本発明に係る携帯通信装置は、自装置の位置を測位して位置情報を得る測位部と、前記第２の通信部が過去に外部機器に接続した際の位置情報を記憶する第２の記憶部と、を備え、前記制御部は、前記充電が開始されると前記測位部に位置を測位させ、測位された位置情報と前記第２の記憶部に記憶されている位置情報とが近い場合、前記第１のモードで前記第２の通信部による通信を許可することが好ましい。
【００１０】
前記第２の通信部は、前記第１のモードと、自装置を第２のネットワークに接続する第２のモードと、を有してもよい。
【００１１】
前記制御部は、前記第２の通信部が前記第２のネットワークに接続できない場合、前記第１のモードでの前記第２の通信部による通信を許可し、前記第２の通信部が前記第２のネットワークに接続できる場合、前記第１のモードでの前記第２の通信部による通信を許可しなくてもよい。
【００１２】
本発明に係る携帯通信装置は、表示部を備え、前記制御部は、前記充電が開始されると、前記第１のモードに移行する指示入力を受け付けるための表示を行い、当該指示入力を受け付けた場合に、前記第１のモードで前記第２の通信部による通信を許可してもよい。
【００１３】
前記制御部は、前記充電が行われている間、前記第１のモードで前記第２の通信部による通信を所定周期で許可してもよい。
【００１４】
本発明に係る携帯通信装置は、自装置の充電方法を判定する判定部を備え、前記制御部は、前記判定部による判定結果に応じて、前記第１のモードで前記第２の通信部による通信を許可するか否かを変更してもよい。
【００１５】
前記第２のプロトコルは、ＩＥＥＥ８０２．１１に準拠してもよい。
【００１６】
本発明に係る通信制御方法は、第１のプロトコルで無線通信する第１の通信部と、第２のプロトコルで無線通信する第２の通信部と、を有する携帯通信装置の通信制御方法であって、前記携帯通信装置は、前記第２の通信部による通信が停止されているときに充電が開始されると、前記第２の通信部を介して接続した外部機器を前記第１の通信部を介して第１のネットワークに接続させる第１のモードで前記第２の通信部による通信を許可する。
【発明の効果】
【００１７】
本発明によれば、携帯通信装置は、外部機器をネットワークへ接続させるための中継を行う際に、利用者の操作を簡略化できる。
【図面の簡単な説明】
【００１８】
【図１】第１実施形態に係るスマートフォンの外観を示す斜視図である。
【図２】第１実施形態に係るスマートフォンの外観を示す正面図である。
【図３】第１実施形態に係るスマートフォンの外観を示す背面図である。
【図４】第１実施形態に係るスマートフォンの構成を示すブロック図である。
【図５】第１実施形態に係るスマートフォンの詳細な機能を示すブロック図である。
【図６】第１実施形態に係る処理を示すフローチャートである。
【図７】第２実施形態に係る処理を示すフローチャートである。
【図８】第３実施形態に係る処理を示すフローチャートである。
【図９】第４実施形態に係るスマートフォンの詳細な機能を示すブロック図である。
【図１０】第４実施形態に係る処理を示すフローチャートである。
【発明を実施するための形態】
【００１９】
［第１実施形態］
本発明を実施するための第１実施形態を、図面を参照しつつ詳細に説明する。以下では、携帯通信装置の一例として、スマートフォンについて説明する。
【００２０】
図１から図３を参照しながら、実施形態に係るスマートフォン１の外観について説明する。図１から図３に示すように、スマートフォン１は、ハウジング２０を有する。ハウジング２０は、フロントフェイス１Ａと、バックフェイス１Ｂと、サイドフェイス１Ｃ１〜１Ｃ４とを有する。フロントフェイス１Ａは、ハウジング２０の正面である。バックフェイス１Ｂは、ハウジング２０の背面である。サイドフェイス１Ｃ１〜１Ｃ４は、フロントフェイス１Ａとバックフェイス１Ｂとを接続する側面である。以下では、サイドフェイス１Ｃ１〜１Ｃ４を、どの面であるかを特定することなく、サイドフェイス１Ｃと総称することがある。
【００２１】
スマートフォン１は、タッチスクリーンディスプレイ２と、ボタン３Ａ〜３Ｃと、照度センサ４と、近接センサ５と、レシーバ７と、マイク８と、カメラ１２とをフロントフェイス１Ａに有する。スマートフォン１は、カメラ１３をバックフェイス１Ｂに有する。スマートフォン１は、ボタン３Ｄ〜３Ｆと、外部インターフェイス１４とをサイドフェイス１Ｃに有する。以下では、ボタン３Ａ〜３Ｆを、どのボタンであるかを特定することなく、ボタン３と総称することがある。
【００２２】
タッチスクリーンディスプレイ２は、ディスプレイ２Ａと、タッチスクリーン２Ｂとを有する。ディスプレイ２Ａは、液晶ディスプレイ（Ｌｉｑｕｉｄ  Ｃｒｙｓｔａｌ  Ｄｉｓｐｌａｙ）、有機ＥＬパネル（Ｏｒｇａｎｉｃ  Ｅｌｅｃｔｒｏ−Ｌｕｍｉｎｅｓｃｅｎｃｅ  ｐａｎｅｌ）、又は無機ＥＬパネル（Ｉｎｏｒｇａｎｉｃ  Ｅｌｅｃｔｒｏ−Ｌｕｍｉｎｅｓｃｅｎｃｅ  ｐａｎｅｌ）等の表示デバイスを備える。ディスプレイ２Ａは、文字、画像、記号又は図形等を表示する。
【００２３】
タッチスクリーン２Ｂは、タッチスクリーンディスプレイ２に対する指、又はスタイラスペン等の接触を検出する。タッチスクリーン２Ｂは、複数の指、又はスタイラスペン等がタッチスクリーンディスプレイ２に接触した位置を検出することができる。
【００２４】
タッチスクリーン２Ｂの検出方式は、静電容量方式、抵抗膜方式、表面弾性波方式（又は超音波方式）、赤外線方式、電磁誘導方式、及び荷重検出方式等の任意の方式でよい。以下では、説明を簡単にするため、タッチスクリーン２Ｂがタッチスクリーンディスプレイ２に対する接触を検出する指、又はスタイラスペン等を単に「指」ということがある。
【００２５】
スマートフォン１は、タッチスクリーン２Ｂにより検出された接触、接触位置、接触時間又は接触回数に基づいてジェスチャの種別を判別する。ジェスチャは、タッチスクリーンディスプレイ２に対して行われる操作である。スマートフォン１によって判別されるジェスチャには、タッチ、ロングタッチ、リリース、スワイプ、タップ、ダブルタップ、ロングタップ、ドラッグ、フリック、ピンチイン、ピンチアウト等が含まれる。
【００２６】
タッチは、タッチスクリーンディスプレイ２（例えば、表面）に指が接触するジェスチャである。スマートフォン１は、タッチスクリーンディスプレイ２に指が接触するジェスチャをタッチとして判別する。ロングタッチとは、タッチスクリーンディスプレイ２に指が一定時間以上接触するジェスチャである。スマートフォン１は、タッチスクリーンディスプレイ２に指が一定時間以上接触するジェスチャをロングタッチとして判別する。
【００２７】
リリースは、指がタッチスクリーンディスプレイ２から離れるジェスチャである。スマートフォン１は、指がタッチスクリーンディスプレイ２から離れるジェスチャをリリースとして判別する。スワイプは、指がタッチスクリーンディスプレイ２上に接触したままで移動するジェスチャである。スマートフォン１は、指がタッチスクリーンディスプレイ２上に接触したままで移動するジェスチャをスワイプとして判別する。
【００２８】
タップは、タッチに続いてリリースをするジェスチャである。スマートフォン１は、タッチに続いてリリースをするジェスチャをタップとして判別する。ダブルタップは、タッチに続いてリリースをするジェスチャが２回連続するジェスチャである。スマートフォン１は、タッチに続いてリリースをするジェスチャが２回連続するジェスチャをダブルタップとして判別する。
【００２９】
ロングタップは、ロングタッチに続いてリリースをするジェスチャである。スマートフォン１は、ロングタッチに続いてリリースをするジェスチャをロングタップとして判別する。ドラッグは、移動可能なオブジェクトが表示されている領域を始点としてスワイプをするジェスチャである。スマートフォン１は、移動可能なオブジェクトが表示されている領域を始点としてスワイプをするジェスチャをドラッグとして判別する。
【００３０】
フリックは、タッチに続いて指が一方方向へ高速で移動しながらリリースするジェスチャである。スマートフォン１は、タッチに続いて指が一方方向へ高速で移動しながらリリースするジェスチャをフリックとして判別する。フリックは、指が画面の上方向へ移動する上フリック、指が画面の下方向へ移動する下フリック、指が画面の右方向へ移動する右フリック、指が画面の左方向へ移動する左フリック等を含む。
【００３１】
ピンチインは、複数の指が互いに近付く方向にスワイプするジェスチャである。スマートフォン１は、複数の指が互いに近付く方向にスワイプするジェスチャをピンチインとして判別する。ピンチアウトは、複数の指が互いに遠ざかる方向にスワイプするジェスチャである。スマートフォン１は、複数の指が互いに遠ざかる方向にスワイプするジェスチャをピンチアウトとして判別する。
【００３２】
スマートフォン１は、タッチスクリーン２Ｂを介して判別するこれらのジェスチャに従って動作を行う。したがって、利用者にとって直感的で使いやすい操作性が実現される。判別されるジェスチャに従ってスマートフォン１が行う動作は、タッチスクリーンディスプレイ２に表示されている画面に応じて異なる。
【００３３】
図４は、スマートフォン１の構成を示すブロック図である。スマートフォン１は、タッチスクリーンディスプレイ２と、ボタン３と、照度センサ４と、近接センサ５と、通信ユニット６と、レシーバ７と、マイク８と、ストレージ９と、コントローラ１０と、カメラ１２及び１３と、外部インターフェイス１４と、加速度センサ１５と、方位センサ１６と、回転検出センサ１７とを有する。
【００３４】
タッチスクリーンディスプレイ２は、上述したように、ディスプレイ２Ａと、タッチスクリーン２Ｂとを有する。ディスプレイ２Ａは、文字、画像、記号、又は図形等を表示する。タッチスクリーン２Ｂは、ジェスチャを検出する。
【００３５】
ボタン３は、利用者によって操作される。ボタン３は、ボタン３Ａ〜ボタン３Ｆを有する。コントローラ１０はボタン３と協働することによってボタンに対する操作を検出する。ボタンに対する操作は、例えば、クリック、ダブルクリック、プッシュ、及びマルチプッシュである。
【００３６】
例えば、ボタン３Ａ〜３Ｃは、ホームボタン、バックボタン又はメニューボタンである。例えば、ボタン３Ｄは、スマートフォン１のパワーオン／オフボタンである。ボタン３Ｄは、スリープ／スリープ解除ボタンを兼ねてもよい。例えば、ボタン３Ｅ及び３Ｆは、音量ボタンである。
【００３７】
照度センサ４は、照度を検出する。例えば、照度とは、光の強さ、明るさ、輝度等である。照度センサ４は、例えば、ディスプレイ２Ａの輝度の調整に用いられる。
【００３８】
近接センサ５は、近隣の物体の存在を非接触で検出する。近接センサ５は、例えば、タッチスクリーンディスプレイ２が顔に近付けられたことを検出する。
【００３９】
通信ユニット６は、無線により通信する。通信ユニット６によって行われる通信方式は、無線通信規格である。例えば、無線通信規格として、２Ｇ、３Ｇ、４Ｇ等のセルラーフォンの通信規格がある。例えば、セルラーフォンの通信規格としては、ＬＴＥ（Ｌｏｎｇ  Ｔｅｒｍ  Ｅｖｏｌｕｔｉｏｎ）、Ｗ−ＣＤＭＡ、ＣＤＭＡ２０００、ＰＤＣ、ＧＳＭ（登録商標）、ＰＨＳ（Ｐｅｒｓｏｎａｌ  Ｈａｎｄｙ−ｐｈｏｎｅ  Ｓｙｓｔｅｍ）等がある。例えば、無線通信規格として、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＩＥＥＥ８０２．１１、Ｂｌｕｅｔｏｏｔｈ（登録商標）、ＩｒＤＡ、ＮＦＣ（Ｎｅａｒ  Ｆｉｅｌｄ  Ｃｏｍｍｕｎｉｃａｔｉｏｎ）等がある。通信ユニット６は、上述した通信規格の１つ又は複数をサポートしていてもよい。
【００４０】
レシーバ７は、コントローラ１０から送信される音声信号を音声として出力する。マイク８は、利用者等の音声を音声信号へ変換してコントローラ１０へ送信する。なお、スマートフォン１は、レシーバ７に加えて、スピーカをさらに有してもよい。
【００４１】
ストレージ９は、プログラム及びデータを記憶する。ストレージ９は、コントローラ１０の処理結果を一時的に記憶する作業領域としても利用される。ストレージ９は、半導体記憶デバイス、及び磁気記憶デバイス等の任意の記憶デバイスを含んでよい。また、ストレージ９は、複数の種類の記憶デバイスを含んでよい。ストレージ９は、メモリカード等の可搬の記憶媒体と、記憶媒体の読み取り装置との組み合わせを含んでよい。
【００４２】
ストレージ９に記憶されるプログラムには、フォアグランド又はバックグランドで実行されるアプリケーションと、アプリケーションの動作を支援する制御プログラムとが含まれる。アプリケーションは、例えば、ディスプレイ２Ａに所定の画面を表示させ、タッチスクリーン２Ｂによって検出されるジェスチャに応じた処理をコントローラ１０に実行させる。制御プログラムは、例えば、ＯＳである。アプリケーション及び制御プログラムは、通信ユニット６による無線通信又は記憶媒体を介してストレージ９にインストールされてもよい。
【００４３】
ストレージ９は、例えば、制御プログラム９Ａ、メールアプリケーション９Ｂ、ブラウザアプリケーション９Ｃ、設定データ９Ｚを記憶する。メールアプリケーション９Ｂは、電子メールの作成、送信、受信、及び表示等のための電子メール機能を提供する。ブラウザアプリケーション９Ｃは、ＷＥＢページを表示するためのＷＥＢブラウジング機能を提供する。テーブル９Ｄは、キーアサインテーブル等の各種テーブルが格納されている。配置パターンデータベース９Ｅは、ディスプレイ２Ａに表示されるアイコン等の配置パターンが格納されている。設定データ９Ｚは、スマートフォン１の動作に関する各種の設定機能を提供する。
【００４４】
制御プログラム９Ａは、スマートフォン１を稼働させるための各種制御に関する機能を提供する。制御プログラム９Ａは、例えば、通信ユニット６、レシーバ７、及びマイク８等を制御することによって、通話を実現させる。制御プログラム９Ａが提供する機能には、タッチスクリーン２Ｂを介して検出されたジェスチャに応じて、ディスプレイ２Ａに表示されている情報を変更する等の各種制御を行う機能が含まれる。なお、制御プログラム９Ａが提供する機能は、メールアプリケーション９Ｂ等の他のプログラムが提供する機能と組み合わせて利用されることがある。
【００４５】
コントローラ１０は、例えば、ＣＰＵ（Ｃｅｎｔｒａｌ  Ｐｒｏｃｅｓｓｉｎｇ  Ｕｎｉｔ）である。コントローラ１０は、通信ユニット６等の他の構成要素が統合されたＳｏＣ（Ｓｙｓｔｅｍ−ｏｎ−ａ−ｃｈｉｐ）等の集積回路であってもよい。コントローラ１０は、スマートフォン１の動作を統括的に制御して各種の機能を実現する。
【００４６】
具体的には、コントローラ１０は、ストレージ９に記憶されているデータを必要に応じて参照しつつ、ストレージ９に記憶されているプログラムに含まれる命令を実行して、ディスプレイ２Ａ及び通信ユニット６等を制御することによって各種機能を実現する。コントローラ１０は、タッチスクリーン２Ｂ、ボタン３、加速度センサ１５等の各種検出部の検出結果に応じて、制御を変更することもある。
【００４７】
コントローラ１０は、例えば、制御プログラム９Ａを実行することにより、タッチスクリーン２Ｂを介して検出されたジェスチャに応じて、ディスプレイ２Ａに表示されている情報を変更する等の各種制御を実行する。
【００４８】
カメラ１２は、フロントフェイス１Ａに面している物体を撮影するインカメラである。カメラ１３は、バックフェイス１Ｂに面している物体を撮影するアウトカメラである。
【００４９】
外部インターフェイス１４は、他の装置が接続される端子である。外部インターフェイス１４は、ＵＳＢ（Ｕｎｉｖｅｒｓａｌ  Ｓｅｒｉａｌ  Ｂｕｓ）、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）、ライトピーク（サンダーボルト）、イヤホンマイクコネクタのような汎用的な端子であってもよい。外部インターフェイス１４は、Ｄｏｃｋコネクタのような専用に設計された端子でもよい。外部インターフェイス１４に接続される装置には、例えば、外部ストレージ、スピーカ、通信装置が含まれる。
【００５０】
加速度センサ１５は、スマートフォン１に働く加速度の方向及び大きさを検出する。方位センサ１６は、地磁気の向きを検出する。回転検出センサ１７は、スマートフォン１の回転を検出する。加速度センサ１５、方位センサ１６及び回転検出センサ１７の検出結果は、スマートフォン１の位置及び姿勢の変化を検出するために、組み合わせて利用される。
【００５１】
図５は、スマートフォン１における通信ユニット６、ストレージ９及びコントローラ１０（制御部）の詳細な機能を示すブロック図である。
なお、スマートフォン１は、無線データ通信を行う第１のプロトコルとしてのＬＴＥと、第２のプロトコルとして、ＩＥＥＥ８０２．１１で規定されるＷｉＦｉとに対応しているものとして説明する。
【００５２】
通信ユニット６は、第１の通信部と、第２の通信部とを備える。この第１の通信部と、第２の通信部とは、無線通信のプロトコルが異なっている。ここでは、第１の通信部として、ＬＴＥで基地局と無線通信するＬＴＥ通信部６１を採用し、第２の通信部として、ＷｉＦｉで無線通信するＷｉＦｉ通信部６２（第２の通信部）を採用して説明する。
ＬＴＥ通信部６１は、基地局１００を介してＬＴＥネットワーク（第１のネットワーク）に接続する。これにより、スマートフォン１は、ＬＴＥネットワークでデータ通信を行う。
【００５３】
ＷｉＦｉ通信部６２は、第１のモードでは、ＷｉＦｉに対応した通信端末又は中継器等の外部機器２００に接続できる。このとき、コントローラ１０は、この外部機器２００を、ＬＴＥ通信部６１を介してＬＴＥネットワークに接続させる。この第１のモードは、テザリングモードと呼ばれることがある。
ＷｉＦｉ通信部６２は、第２のモードでは、アクセスポイント３００を介してＷｉＦｉネットワーク（第２のネットワーク）に接続する。これにより、コントローラ１０は、ＷｉＦｉネットワークでデータ通信を行う。このＷｉＦｉネットワークは、ＬＴＥネットワークに互いに他のネットワークを介して接続されていてもよい。
【００５４】
ストレージ９は、第２のモードでＷｉＦｉ通信部６２が過去に接続した外部機器の識別情報を記憶する機器リスト９１（第１の記憶部）と、ＷｉＦｉ通信部６２が過去に外部機器に接続した際のスマートフォン１の位置情報を記憶する位置リスト９２（第２の記憶部）とを備える。
【００５５】
コントローラ１０は、ＬＴＥ通信部６１及びＷｉＦｉ通信部６２を制御する。コントローラ１０は、ＷｉＦｉ通信部６２による通信が停止されているときにスマートフォン１の充電が開始されると、第１のモードでＷｉＦｉ通信部６２による通信を許可する。
【００５６】
このとき、コントローラ１０は、ＷｉＦｉ通信部６２がアクセスポイント３００を発見できずＷｉＦｉネットワークに接続できない状態の場合、第１のモードでのＷｉＦｉ通信部６２による通信を許可する。一方、ＷｉＦｉ通信部６２がアクセスポイント３００を発見しＷｉＦｉネットワークに接続できる状態の場合、コントローラ１０は、第１のモードでのＷｉＦｉ通信部６２による通信を許可しない。
【００５７】
また、コントローラ１０は、測位部１０Ａを備える。測位部１０Ａは、ＧＰＳ又は基地局情報等によりスマートフォン１の位置を測位して位置情報を得ると、位置リスト９２に記憶する。
そして、コントローラ１０は、スマートフォン１の充電が開始されると測位部１０Ａに位置を測位させ、測位された位置情報と位置リスト９２に記憶されている位置情報とが近い場合、第１のモードでＷｉＦｉ通信部６２による通信を許可する。なお、位置情報が近い場合とは、例えば、所定距離以内である、又は位置登録した基地局が同じである等、所定の条件を満たす場合であり、これらの条件は適宜設定可能である。
【００５８】
コントローラ１０は、スマートフォン１の充電が開始された際、ＷｉＦｉ通信部６２に、識別情報が機器リスト９１に記憶されている外部機器を探索させ、これらの外部機器のいずれかがあると、第１のモードでＷｉＦｉ通信部６２による通信を許可する。
【００５９】
また、コントローラ１０は、スマートフォン１の充電が開始されてから所定時間、いずれの外部機器とも接続を確立しなかった場合、ＷｉＦｉ通信部６２による通信を停止させる。
【００６０】
図６は、スマートフォン１におけるコントローラ１０の処理を示すフローチャートである。
【００６１】
ステップＳ１において、コントローラ１０は、スマートフォン１が充電を開始したか否かを判定する。この判定がＹＥＳの場合、処理はステップＳ２に移り、判定がＮＯの場合、処理はステップＳ１を継続する。
【００６２】
ステップＳ２において、コントローラ１０は、ＷｉＦｉ通信部６２が通信中であるか否かを判定する。この判定がＹＥＳの場合、コントローラ１０は、現在のモード（第１又は第２のモード）を維持して処理を終了する。
【００６３】
ステップＳ３において、コントローラ１０は、ＷｉＦｉ通信部６２によりアクセス可能なアクセスポイント３００があるか否かを判定する。この判定がＹＥＳの場合、処理は終了し、判定がＮＯの場合、処理はステップＳ４へ移る。
【００６４】
ステップＳ４において、コントローラ１０は、測位部１０Ａにより測位を実行し、スマートフォン１の位置情報を得る。
【００６５】
ステップＳ５において、コントローラ１０は、ステップＳ４で得られた位置情報が位置リスト９２に含まれる位置情報のいずれかと近いか否かを判定する。この判定がＹＥＳの場合、コントローラ１０は、過去にテザリングを行った位置と判断し、処理をステップＳ６に移す。一方、判定がＮＯの場合、コントローラ１０は、過去にテザリングの実績がないと判断し、処理を終了する。
【００６６】
ステップＳ６において、コントローラ１０は、ＷｉＦｉ通信部６２により接続可能な外部機器２００を探索させる。
【００６７】
ステップＳ７において、コントローラ１０は、機器リスト９１に識別情報が含まれる外部機器２００を発見したか否かを判定する。この判定がＹＥＳの場合、処理はステップＳ８に移り、判定がＮＯの場合、処理は終了する。
【００６８】
ステップＳ８において、コントローラ１０は、第１のモードでＷｉＦｉ通信部６２によるテザリングの通信を許可する。
【００６９】
ステップＳ９において、コントローラ１０は、外部機器２００と接続したか否かを判定する。この判定がＹＥＳの場合、処理はステップＳ１０に移り、判定がＮＯの場合、処理はステップＳ１１に移る。
【００７０】
ステップＳ１０において、コントローラ１０は、外部機器２００を、ＷｉＦｉ通信部６２及びＬＴＥ通信部６１を介してＬＴＥネットワークへ接続し、テザリングを開始する。
【００７１】
ステップＳ１１において、コントローラ１０は、外部機器２００と接続されないまま所定時間が経過したか否かを判定する。この判定がＹＥＳの場合、処理はステップＳ１２に移る。一方、判定がＮＯの場合、処理はステップＳ９に移り、コントローラ１０は、外部機器２００との接続を待機する。
【００７２】
ステップＳ１２において、コントローラ１０は、テザリングを行わないと判断し、ＷｉＦｉ通信部６２の通信を停止する。
【００７３】
以上のように、本実施形態によれば、スマートフォン１は、ＷｉＦｉ通信部６２による通信が停止されているときに充電が開始されると、自動でテザリングを許可するので、外部機器２００をＬＴＥネットワークへ接続させるための中継を行う際に、利用者の操作を簡略化できる。
【００７４】
また、スマートフォン１は、充電が開始されてから所定時間、外部機器２００との接続を確立しなかった場合、ＷｉＦｉ通信部６２による通信を停止させるので、テザリングが開始されない場合の処理負荷を低減できる。
【００７５】
また、スマートフォン１は、充電が開始された際に、過去にテザリングを行った既知の外部機器が発見されれば自動でテザリングを許可するので、外部機器２００に接続可能な場合に効率的にテザリングを開始できる。
【００７６】
また、スマートフォン１は、過去に外部機器２００に接続した際の位置情報を記憶しておき、充電が開始されたときの位置情報が、記憶されている位置情報と近い場合に、自動でテザリングを許可する。したがって、スマートフォン１は、外部機器２００に接続される可能性が高い状況を判断して効率的にテザリングを開始できる。
【００７７】
また、スマートフォン１は、アクセスポイントが存在しＷｉＦｉ通信部６２がＷｉＦｉネットワークに接続できる場合に自動でテザリングを許可し、アクセスポイントが存在せずＷｉＦｉ通信部６２がＷｉＦｉネットワークに接続できない場合にテザリングを許可しない。したがって、スマートフォン１は、ＷｉＦｉネットワークへの接続を優先しつつ、ＷｉＦｉネットワークへ接続できない場合に効率的にテザリングを開始できる。
【００７８】
［第２実施形態］
本発明を実施するための第２実施形態を、図面を参照しつつ詳細に説明する。第２実施形態は、第１実施形態と比べて、充電時にコントローラ１０が第１のモードでテザリングを許可する条件が異なる。
なお、第１実施形態と同様の構成には同一の符号を付し、説明を省略又は簡略化する。
【００７９】
図７は、スマートフォン１におけるコントローラ１０の処理を示すフローチャートである。
ステップＳ１、Ｓ２及びＳ８〜Ｓ１２は、第１実施形態と同様であり、ステップＳ３Ａ及びＳ４Ａが異なる。
【００８０】
ステップＳ３Ａにおいて、コントローラ１０は、第１のモードに移行する指示入力を受け付けるための表示を行う。具体的には、コントローラ１０は、ディスプレイ２Ａにモード切替ボタンを表示し、タッチスクリーン２Ｂからの指示入力を受け付ける。
【００８１】
ステップＳ４Ａにおいて、コントローラ１０は、ステップＳ３Ａで表示されたモード切替ボタンが押下されたか否かを判定する。この判定がＹＥＳの場合、処理はステップＳ８に移り、テザリングが許可される。一方、判定がＮＯの場合、処理はステップＳ４Ａを継続する。
【００８２】
以上のように、本実施形態によれば、スマートフォン１は、充電中にテザリングを開始するためのモード切替ボタンを表示することにより、簡易なユーザインタフェイスを提供できる。
【００８３】
［第３実施形態］
本発明を実施するための第３実施形態を、図面を参照しつつ詳細に説明する。第３実施形態は、第１又は第２実施形態と比べて、充電時にコントローラ１０が第１のモードでテザリングを許可する条件が異なる。
なお、第１実施形態と同様の構成には同一の符号を付し、説明を省略又は簡略化する。
【００８４】
図８は、スマートフォン１におけるコントローラ１０の処理を示すフローチャートである。
ステップＳ１、Ｓ２及びＳ８〜Ｓ１１は、第１実施形態と同様であり、ステップＳ３Ｂ及びＳ１２Ｂが異なる。
【００８５】
ステップＳ３Ｂにおいて、コントローラ１０は、テザリングを試行する所定周期のタイミングであるか否かを判定する。この判定がＹＥＳの場合、処理はステップＳ８に移り、テザリングが許可される。一方、判定がＮＯの場合、処理はステップＳ２に移る。
【００８６】
ステップＳ１２Ｂにおいて、コントローラ１０は、テザリングを行わないと判断し、ＷｉＦｉ通信部６２の通信を停止して、処理をステップＳ２に移す。
【００８７】
以上のように、本実施形態によれば、コントローラ１０は、充電が行われている間、第１のモードでＷｉＦｉ通信部６２による通信を所定周期で許可する。したがって、スマートフォン１は、処理負荷を低減しつつ充電中にテザリングを試行できる。
【００８８】
［第４実施形態］
本発明を実施するための第４実施形態を、図面を参照しつつ詳細に説明する。第４実施形態は、第１実施形態と比べて、充電時にコントローラ１０が第１のモードでテザリングを許可する条件が異なる。
なお、第１実施形態と同様の構成には同一の符号を付し、説明を省略又は簡略化する。
【００８９】
図９は、スマートフォン１における通信ユニット６、ストレージ９及びコントローラ１０の詳細な機能を示すブロック図である。
コントローラ１０は、スマートフォン１の充電方法を判定する判定部１０Ｂを備える。
判定部１０Ｂは、充電方法として、例えば、マイクロＵＳＢコネクタにより充電をしている状態か、専用充電台用の接続端子により充電をしている状態か、又はワイヤレス充電をしている状態か等を判定する。また、判定部１０Ｂは、筐体の姿勢を判定してもよい。
【００９０】
コントローラ１０は、判定部１０Ｂによる判定結果に応じて、第１のモードでＷｉＦｉ通信部６２による通信を許可するか否かを変更する。
【００９１】
図１０は、スマートフォン１におけるコントローラ１０の処理を示すフローチャートである。
ステップＳ１、Ｓ２及びＳ８〜Ｓ１２は、第１実施形態と同様であり、ステップＳ３Ｃ及びＳ４Ｃが異なる。
【００９２】
ステップＳ３Ｃにおいて、コントローラ１０は、判定部１０Ｂにより、スマートフォン１の充電方法を判定する。
【００９３】
ステップＳ４Ｃにおいて、コントローラ１０は、ステップＳ３Ｃで判定された充電方法が、予め設定された所定の充電方法か否かを判定する。この判定がＹＥＳの場合、処理はステップＳ８に移り、テザリングが許可される。一方、判定がＮＯの場合、処理は終了する。
【００９４】
以上のように、本実施形態によれば、スマートフォン１は、充電方法に応じてテザリングを行うか否かを変更するので、ユーザは、複数の充電方法から選択することによって、テザリングを行うか否かを容易に切り替えられる。
【００９５】
以上、本発明の実施形態について説明したが、本発明は前述した実施形態に限るものではない。また、本発明の実施形態に記載された効果は、本発明から生じる最も好適な効果を列挙したに過ぎず、本発明による効果は、前述の実施形態に記載されたものに限定されるものではない。
【００９６】
コントローラ１０が充電時に第１のモードでテザリングを許可する条件は、前述の各実施形態に記載された複数の条件を適宜組み合わせてもよい。
【００９７】
図４及び図５に示したスマートフォン１の構成は一例であり、本発明の要旨を損なわない範囲において適宜変更してよい。
例えば、表示部は、タッチスクリーン２Ｂによる検出機能を有するタッチスクリーンディスプレイ２の一部であるディスプレイ２Ａとしたが、検出機能を有さない表示装置であってもよい。この場合、表示部に表示された項目をユーザが選択するための操作入力部が別途設けられる。
【００９８】
また、スマートフォン１は、ＬＴＥ及びＷｉＦｉに対応するものとして説明したが、これには限られず、他のプロトコルであってもよいし、３以上のプロトコルに対応していてもよい。
例えば、第１のプロトコルとして、３Ｇ方式のプロトコル（ＣＤＭＡ２０００＿１ｘＥＶＤＯ、Ｗ−ＣＤＭＡ等）又はＩＥＥＥ８０２．１６ｅで規定されるＷｉＭＡＸ等が使用されてもよい。また、第２のプロトコルとして、Ｂｌｕｅｔｏｏｔｈ（登録商標）、ＩｒＤＡ、ＵＳＢ等のプロトコルが使用されてもよい。
【００９９】
なお、図４においてストレージ９が記憶することとしたプログラムの一部又は全部は、通信ユニット６による無線通信で他の装置からダウンロードされてもよい。また、図４においてストレージ９が記憶することとしたプログラムの一部又は全部は、ストレージ９に含まれる読み取り装置が読み取り可能な記憶媒体に記憶されていてもよい。また、図４においてストレージ９が記憶することとしたプログラムの一部又は全部は、外部インターフェイス１４に接続される読み取り装置が読み取り可能なＣＤ、ＤＶＤ、又はＢｌｕ−ｒａｙ等の記憶媒体に記憶されていてもよい。
また、図４に示した各プログラムは、複数のモジュールに分割されていてもよいし、他のプログラムと結合されていてもよい。
【０１００】
また、前述の実施形態では、携帯通信装置の一例として、スマートフォンについて説明したが、携帯通信装置は、スマートフォンに限定されない。例えば、携帯通信装置は、モバイルフォン、デジタルカメラ、メディアプレイヤ、電子書籍リーダ、ナビゲータ又はゲーム機等の携帯電子機器、あるいは通信機能に特化した通信専用モジュールであってもよい。
【符号の説明】
【０１０１】
１  スマートフォン（携帯通信装置）
２  タッチスクリーンディスプレイ
２Ａ  ディスプレイ（表示部）
２Ｂ  タッチスクリーン
６  通信ユニット
９  ストレージ
１０  コントローラ（制御部）
１０Ａ  測位部
１０Ｂ  判定部
６１  ＬＴＥ通信部（第１の通信部）
６２  ＷｉＦｉ通信部（第２の通信部）
９１  機器リスト（第１の記憶部）
９２  位置リスト（第２の記憶部）
【図１】
2014082598.tif 000003
【図２】
2014082598.tif 000004
【図３】
2014082598.tif 000005
【図４】
2014082598.tif 000006
【図５】
2014082598.tif 000007
【図６】
2014082598.tif 000008
【図７】
2014082598.tif 000009
【図８】
2014082598.tif 000010
【図９】
2014082598.tif 000011
【図１０】
2014082598.tif 000012